(57)【要約】【課題】カメラ付携帯電話に装着することにより、カメラ部分を覆ってカメラ機能を実質的に使用不能して、主催者や本人の了解なしに勝手にカメラ付携帯電話を使用して盗撮するのを防ぐことのできるカメラ付携帯電話盗撮防止カバーを提供することにある。【解決手段】折り畳み式のカメラ付携帯電話１１のカメラ１１ａが配置された外側表面１１ｂを覆う外面カバーシート２、外面カバーシート２の内側表面２ａの長さ方向両側に設けられた第一内面カバーシート３及び第二内面カバーシート４、並びに第一挿入部５及び第二挿入部６から主に構成され、また折り畳み式のカメラ付携帯電話１１に装着したカメラ付携帯電話盗撮防止カバー１が外れないように非解放型留め具７が使用される。【選択図】        図１
2004275434.tif 000002
【特許請求の範囲】
【請求項１】
折り畳み式のカメラ付携帯電話のカメラが配置された外側表面を覆う破れ難い材質の不透明な外面カバーシートを設け、外面カバーシートの内側表面の長さ方向両側に折り畳み式のカメラ付携帯電話の操作ボタン及び表示画面が配置された内側表面の両側を覆う破れ難い材質の第一内面カバーシートと第二内面カバーシートを設け、両内面カバーシートの互いに向き合う側を開口して、外面カバーシートと第一内面カバーシート及び第二内面カバーシートとで折り畳み式のカメラ付携帯電話の両側が挿入される第一挿入部及び第二挿入部をそれぞれ形成し、外面カバーシートと第二内面カバーシートとで形成される第二挿入部の開口部分に連なる一側縁辺を開放して、外面カバーシートと第一内面カバーシートとで形成される第一挿入部に片方側が挿入された折り畳み式のカメラ付携帯電話の他方側を入出自在にすると共に、折り畳み式のカメラ付携帯電話の他方側が挿入された第二挿入部の開放する一側縁辺を閉じる非解放型留め具を備えたことを特徴とするカメラ付携帯電話盗撮防止カバー。
【請求項２】
折り畳み式のカメラ付携帯電話の折り畳み時に外部から見える外面カバーシートの外側表面に広告を入れた請求項１記載の折り畳み式のカメラ付携帯電話。
【請求項３】
折り畳み式のカメラ付携帯電話の送話孔及び受話孔の位置に対応する箇所の第一内面カバーシート及び第二内面カバーシートに複数の小孔を形成した請求項１記載の折り畳み式のカメラ付携帯電話。
【請求項４】
第一内面カバーシート及び第二内面カバーシートに透明シートを使用した請求項１記載の折り畳み式のカメラ付携帯電話。
【請求項５】
第二挿入部を構成する外面カバーシート及び第二内面カバーシートの開放する一側縁辺に非解放型留め具の取り付け用の取付シートをそれぞれ張り出して一体的に設け、両取付シートに非解放型留め具の挿通用の取付孔をそれぞれ形成した請求項１記載の折り畳み式のカメラ付携帯電話。
【発明の詳細な説明】
【０００１】
【発明の属する技術分野】
この発明は、例えば屋外コンサート、屋内コンサート、記者発表、ディナーショウ、モータースポーツ、プロスポーツなどの各種の場所において、例えばマネイジメント事務所、プロダクション、主催者や本人などの了解なしに勝手にカメラ付携帯電話を使用して盗撮するのを防ぐカメラ付携帯電話盗撮防止カバーに関するものである。
【０００２】
【従来の技術】
従来、例えば屋外コンサート、屋内コンサート、記者発表、ディナーショウなどの各種の場所においては、肖像権などの問題もあり、主催者や本人の了解なしには勝手に撮影することが一般に禁じられていることが多い。また、このような場所では撮影を目的として使用されるカメラなどの撮影機器の持ち込みが主催者側によって禁止されていることも多い。
【０００３】
【発明が解決しようとする課題】
ところで、近年、カメラ付携帯電話が急速に普及してきている。カメラ付携帯電話は、携帯電話機能が主であり、カメラ機能は副次的なものであり、緊急時には連絡のために必要なものである。このため、カメラなどの専用撮影機器のように持ち込みの禁止が困難であり、また、会場の入口などで一時的に取り上げて保管するようにすると、その手間、時間、コストなどがかかり大変である。
その一方、カメラ付携帯電話の性能のアップにより、鮮明な画像の撮影が可能になると共に短い時間であるが動画の撮影も可能になり、誰でもがカメラ付携帯電話を用いての盗撮が容易でこれを禁止させる係員との間でトラブルも発生しており、さらに、撮影した内容を瞬時に送信できるのを悪用して、極一部の不心得者にあっては例えばライブコンサートの内容をカメラ付携帯電話を使用して撮影して外部に送信し、送信した内容を基にしてライブコンサートの海賊版ＣＤなどを主催者や本人の承諾なしに勝手に製作して販売やインターネット上で配信しており、カメラ付携帯電話に伴う実害が発生している。
【０００４】
この発明は、上記のような課題に鑑み、その課題を解決すべく創案されたものであって、その目的とするところは、カメラ付携帯電話に装着することにより、カメラ部分を覆ってカメラ機能を実質的に使用不能して、主催者や本人の了解なしに勝手にカメラ付携帯電話を使用して盗撮するのを防ぐことのできるカメラ付携帯電話盗撮防止カバーを提供することにある。
【０００５】
【課題を解決するための手段】
以上の目的を達成するために、請求項１の発明は、折り畳み式のカメラ付携帯電話のカメラが配置された外側表面を覆う破れ難い材質の不透明な外面カバーシートを設け、外面カバーシートの内側表面の長さ方向両側に折り畳み式のカメラ付携帯電話の操作ボタン及び表示画面が配置された内側表面の両側を覆う破れ難い材質の第一内面カバーシートと第二内面カバーシートを設け、両内面カバーシートの互いに向き合う側を開口して、外面カバーシートと第一内面カバーシート及び第二内面カバーシートとで折り畳み式のカメラ付携帯電話の両側が挿入される第一挿入部及び第二挿入部をそれぞれ形成し、外面カバーシートと第二内面カバーシートとで形成される第二挿入部の開口部分に連なる一側縁辺を開放して、外面カバーシートと第一内面カバーシートとで形成される第一挿入部に片方側が挿入された折り畳み式のカメラ付携帯電話の他方側を入出自在にすると共に、折り畳み式のカメラ付携帯電話の他方側が挿入された第二挿入部の開放する一側縁辺を閉じる非解放型留め具を備えた手段よりなるものである。
【０００６】
ここで、好ましい態様として、折り畳み式のカメラ付携帯電話の折り畳み時に外部から見える外面カバーシートの外側表面に広告を入れ、折り畳み式のカメラ付携帯電話の送話孔及び受話孔の位置に対応する箇所の第一内面カバーシート及び第二内面カバーシートに複数の小孔を形成し、第一内面カバーシート及び第二内面カバーシートに透明シートを使用するのがよい。また、第二挿入部を構成する外面カバーシート及び第二内面カバーシートの開放する一側縁辺に非解放型留め具の取り付け用の取付シートをそれぞれ張り出して一体的に設け、両取付シートに非解放型留め具の挿通用の取付孔をそれぞれ形成するのがよい。
【０００７】
【発明の実施の形態】
以下、図面に記載の発明の実施の形態に基づいて、この発明をより具体的に説明する。
ここで、図１（Ａ）〜（Ｄ）は折り畳み式のカメラ付携帯電話にカメラ付携帯電話盗撮防止カバーを装着する説明図、図２（Ａ）はカメラ付携帯電話盗撮防止カバーの外側表面図、図２（Ｂ）はカメラ付携帯電話盗撮防止カバーの内側表面図、図３（Ａ）は非解放型留め具の側断面図、図３（Ｂ）は非解放型留め具の使用時の側断面図である。
【０００８】
図において、カメラ付携帯電話盗撮防止カバー１は、折り畳み式カメラ付携帯電話１１に装着することで、カメラ１１ａ部分の表面側を覆って盗撮できなくする一方で、携帯電話としては使用を維持できるもので、折り畳み式のカメラ付携帯電話１１のカメラ１１ａが配置された外側表面１１ｂを覆う外面カバーシート２、外面カバーシート２の内側表面２ａの長さ方向両側に設けられた第一内面カバーシート３及び第二内面カバーシート４、並びに第一挿入部５及び第二挿入部６から主に構成され、また折り畳み式のカメラ付携帯電話１１に装着したカメラ付携帯電話盗撮防止カバー１が外れないように非解放型留め具７が使用される。
【０００９】
外面カバーシート２は折り畳み式のカメラ付携帯電話１１のカメラ１１ａが配置された外側表面１１ｂを覆う部分で、その外形は折り畳み式のカメラ付携帯電話１１を開いた状態より少し大きめの横長な形状を有し、又折り曲げられる中央部分はその幅が絞られて狭くなっていて、折り曲げられ易くなっている。
【００１０】
外面カバーシート２は破れ難い不透明な材質のものが使用されている。外面カバーシート２の破れ難いとは、普通の大人が両手で外面カバーシート２を破ろうとしても破れない強さを有しているが、ハサミによって簡単に切断できる程度のものである。これは帰宅した来場者がハサミなどを使用してカメラ付携帯電話１１からカメラ付携帯電話盗撮防止カバー１を簡単に取り外せるように配慮したからである。
【００１１】
外面カバーシート２はカメラ付携帯電話１１のカメラ１１ａが配置された外側表面１１ｂを覆って、カメラ１１ａで盗撮できないようにしてカメラ１１ａ部分を実質的に使用不能にするために、不透明な構成になっている。外面カバーシート２はシート全体が不透明に構成される場合と、カメラ１１ａを覆う部分が不透明でカメラ１１ａを覆わない部分は不透明以外のものから構成される場合とがある。また、不透明にする手段として、不透明な材質を使用する場合と、表面に各種の色を印刷することで不透明することがある。
【００１２】
外面カバーシート２の内側表面２ａの裏側となる折り畳み式のカメラ付携帯電話１１の折り畳み時に外部から見える外面カバーシート２の外側表面２ｂには、主催者、スポンサー、協賛の宣伝効果、認知度アップなどのために各種の広告が入られている。広告は外面カバーシート２の外側表面２ｂに予め印刷によってなされる。外側表面２ｂに各種の色を使用した広告を入れることにより外面カバーシート２を不透明にすることも可能である。
【００１３】
外面カバーシート２の内側表面２ａの長さ方向両側には、折り畳み式のカメラ付携帯電話１１の操作ボタン１１ｄ及び表示画面１１ｅが配置された内側表面１１ｃの両側を覆う破れ難い材質の第一内面カバーシート３と第二内面カバーシート４が設けられている。第一内面カバーシート３及び第二内面カバーシート４の破れ難い材質は、上記外面カバーシート２と同様に普通の大人が両手で外面カバーシート２を破ろうとしても破れない強さを有しているが、ハサミによって簡単に切断できる程度のものである。
【００１４】
外面カバーシート２と第一内面カバーシート３とにより、折り畳み式のカメラ付携帯電話１１の片方側が挿入される第一挿入部５が形成されている。また、外面カバーシート２と第二内面カバーシート４とにより、折り畳み式のカメラ付携帯電話１１の他方側が挿入される第二挿入部６が形成されている。この第一挿入部５と第二挿入部６は向かい合う側がそれぞれ開口５ａ，６ａされていて、この開口５ａ，６ａされている部分から折り畳み式のカメラ付携帯電話１１の両側がそれぞれ挿入される。
【００１５】
第一挿入部５は第二挿入部６と向かい合う側は開口５ａされているが、これ以外の周縁辺は外面カバーシート２の片方側の周縁辺に疎又は密の状態で接合されている。第一挿入部５を形成する第一内面カバーシート３の折り畳み式のカメラ付携帯電話１１の図示しない送話孔及び受話孔の位置に対応する箇所には、送話及び受話を良好に維持する送受話用の複数の小孔３ａが形成されている。また、第一内面カバーシート３には透明シートが使用されていて、第一挿入部５に挿入された折り畳み式のカメラ付携帯電話１１の操作ボタン１１ｄ又は表示画面１１ｅが鮮明に見えるようになっている。
【００１６】
第二挿入部６は第一挿入部５と向かい合う側は開口６ａされ、さらにこの開口６ａ部分に連なる一側縁辺６ｂが開放されていて、この開口６ａ部分と開放された一側縁辺６ｂにより第二内面カバーシート４は半開き折り曲げの状態となって開放された一側縁辺６ｂから第二挿入部６内に折り畳み式のカメラ付携帯電話１１の他方側を挿入できるようになっている。これ以外の周縁辺は外面カバーシート２の他方側の周縁辺に疎又は密の状態で接合されている。
【００１７】
第二挿入部６を形成する第二内面カバーシート４の折り畳み式のカメラ付携帯電話１１の図示しない送話孔及び受話孔の位置に対応する箇所には、送話及び受話を良好に維持する送受話用の複数の小孔４ａが形成されている。また、第二内面カバーシート４には透明シートが使用されていて、第二挿入部６に挿入された折り畳み式のカメラ付携帯電話１１の操作ボタン１１ｄ又は表示画面１１ｅが鮮明に見えるようになっている。
【００１８】
また、第二挿入部６を構成する外面カバーシート２及び第二内面カバーシート４の開放する一側縁辺６ｂには、非解放型留め具７の取り付け用の取付シート２ｃ及び取付シート４ｂがそれぞれ円弧状に張り出して一体的に設けられ、又この両取付シート２ｃ，４ｂに非解放型留め具７の挿通用の取付孔２ｄ及び取付孔４ｃがそれぞれ形成されている。取付孔２ｄ及び取付孔４ｃは取付シート２ｃ及び取付シート４ｂを上下に重ねたときに同一箇所になる位置に形成されている。
【００１９】
非解放型留め具７は、折り畳み式のカメラ付携帯電話１１の他方側が挿入された第二挿入部６の開放する一側縁辺６ｂを閉じる器具で、取付孔２ｄ及び取付孔４ｃに挿通して留められることで第二挿入部６の開放する一側縁辺６ｂを閉じるものである。この非解放型留め具７は留める場合は男女を問わず留めるられるが、留めたものを外す場合には普通の大人の力では簡単には外れない構造になっている。非解放型留め具７はハサミなどによって簡単に切断される構造になっている。
【００２０】
非解放型留め具７は、例えば図に示すように、紐状７ａと、紐状７ａの両端に一体的に取り付けられた雄片７ｂと、該雄片７ｂが挿入される雌孔７ｃから構成される。円柱状の雄片７ｂの側周にはかさ状の逆止片７ｄが形成されていて、この逆止片７ｄの働きによって、雌孔７ｃに挿入された雄片７ｂは簡単には抜けない構造になっていて、これにより、非解放型留め具７は簡単には外れないようになっている。
【００２１】
次に、上記発明の実施の形態の構成に基づくカメラ付携帯電話盗撮防止カバーの使用方法について以下説明する。
各コンサート会場の入場口において、カメラ付携帯電話盗撮防止カバー１が来場者の各自に無料で配布される。カメラ付携帯電話盗撮防止カバー１の折り畳み式のカメラ付携帯電話１１への装着は各自にやらせる。
【００２２】
装着は、折り畳み式のカメラ付携帯電話１１を開くと共に、開いた折り畳み式のカメラ付携帯電話１１のカメラ１１ａが配置された外側表面１１ｂをカメラ付携帯電話盗撮防止カバー１の外面カバーシート２の内側表面２ａに背中合わせにし、折り畳み式のカメラ付携帯電話１１の片方側を外面カバーシート２の片方側に形成された第一挿入部５の開口５ａ部分から第一挿入部５内に挿入した後、折り畳み式のカメラ付携帯電話１１の他方側を、外面カバーシート２の他方側に形成された第二挿入部６の開放されている一側縁辺６ｂを開きその一側縁辺６ｂから第二挿入部６の内部に挿入する。
【００２３】
開いた状態の折り畳み式のカメラ付携帯電話１１の両側をカメラ付携帯電話盗撮防止カバー１の両側の第一挿入部５及び第二挿入部６に挿入した後、非解放型留め具７を使用して、第二挿入部６の開放されている一側縁辺６ｂを留めて閉じる。この操作は、非解放型留め具７を構成する紐状７ａの両側の雄片７ｂと雌孔７ｃを第二挿入部６の取付シート２ｃ，４ｂの取付孔２ｄ，４ｃの外側から嵌合して、雄片７ｂを雌孔７ｃに圧入することにより簡単に達成される。圧入した雄片７ｂはその側周の逆止片７ｄが雌孔７ｃの内周に引っかかることによって抜けなくなり、このため、非解放型留め具７が外れることはない。
【００２４】
このようにして、折り畳み式のカメラ付携帯電話１１にカメラ付携帯電話盗撮防止カバー１が装着される。装着されたカメラ付携帯電話盗撮防止カバー１は普通の大人の力では破れない程の強さの材質で構成されており、同様に非解放型留め具７も普通の大人の力では外せず、しかも、カメラ付携帯電話盗撮防止カバー１の不透明な外面カバーシート２がカメラ付携帯電話１１の外側表面１１ｂに配置されたカメラ１１ａを覆うので、カメラ付携帯電話１１による盗撮を防ぐことが可能となる。
【００２５】
来場者は帰宅後、折り畳み式のカメラ付携帯電話１１に装着されたカメラ付携帯電話盗撮防止カバー１を外す場合には、ハサミを使って外面カバーシート２の中間部分を切断したり、非解放型留め具７で留められた取付シート２ｃ，４ｂを第二挿入部６の一側縁辺６ｂから切断して切り離すことにより、簡単に取り外すことができる。
【００２６】
なお、この発明は上記発明の実施の形態に限定されるものではなく、この発明の精神を逸脱しない範囲で種々の改変をなし得ることは勿論である。
【００２７】
【発明の効果】
以上の記載より明らかなように、この発明に係るカメラ付携帯電話盗撮防止カバーによれば、会場入場時にこのカメラ付携帯電話盗撮防止カバーを来場者に渡してカメラ付携帯電話に装着するように指導明記をチケット、会場内看板、チラシ等にしておくことで、来場者は各自でカメラ付携帯電話にこのカメラ付携帯電話盗撮防止カバーを装着してカメラ部分を覆い、非解放型留め具で止めることにより、カメラ付携帯電話盗撮防止カバーをカメラ付携帯電話から簡単に外せなくなり、カメラ付携帯電話のカメラ機能を実質的に使用不能にすることができる。また、来場者は帰宅後、ハサミなどを用いてカメラ付携帯電話盗撮防止カバーや非解放型留め具を切断することによって、簡単容易にカメラ付携帯電話からカメラ付携帯電話盗撮防止カバーを外すことができる。
これにより、例えば屋外コンサート、屋内コンサート、記者発表、ディナーショウなどの各種の場所において、主催者や本人の了解なしに勝手にカメラ付携帯電話を使用して盗撮するのを防ぐことができ、アーティストの著作権、肖像権、放送権などの権利の保護を計ることが可能となる。また、会場内での盗撮に伴う来場者と係員との間でのトラブルを可能な限り減らすことができる。さらに、盗撮による海賊版ＣＤ、ＤＶＤなどの製作を未然に防ぐことができ、正規のＣＤ、ＤＶＤなどの売上げ販売促進の保護を計ることができる。
【００２８】
また、請求項２のように、折り畳み式のカメラ付携帯電話の折り畳み時に外部から見える外面カバーシートの外側表面に広告や色々な情報、アーティスト写真を入れたことにより、主催者、スポンサー、協賛の宣伝効果、認知度アップを計ることができ、広告アイテムとして提供することができる。
【００２９】
また、請求項３のように、折り畳み式のカメラ付携帯電話の送話孔及び受話孔の位置に対応する箇所の第一内面カバーシート及び第二内面カバーシートに複数の小孔を形成したことにより、携帯電話として使用する場合に、その小孔によって、受話内容が聞き取りにくくなるのを防ぐことができると共に、送話内容が相手に通じにくくなるのを防ぐことができ、カメラ付携帯電話盗撮防止カバーを装着していない場合と同程度の性能に維持することができる。
【００３０】
また、請求項４のように、第一内面カバーシート及び第二内面カバーシートに透明シートを使用したことにより、カメラ付携帯電話の操作ボタン及び表示画面の表面を覆う第一内面カバーシート及び第二内面カバーシートによって操作ボタン及び表示画面が見えにくくなるのを防ぐことができ、携帯電話として使用する場合に誤操作などの心配もない。
【００３１】
また、請求項５のように、第二挿入部を構成する外面カバーシート及び第二内面カバーシートの開放する一側縁辺に非解放型留め具の取り付け用の取付シートをそれぞれ張り出して設け、両取付シートに非解放型留め具の挿通用の取付孔をそれぞれ形成したことにより、非解放型留め具を各取付シートの取付孔に挿入して閉じることによって、折り畳み式のカメラ付携帯電話の他方側が挿入された第二挿入部の開放する一側縁辺を簡単容易に閉じることができる。
【図面の簡単な説明】
【図１】（Ａ）〜（Ｄ）はこの発明の実施の形態を示す折り畳み式のカメラ付携帯電話にカメラ付携帯電話盗撮防止カバーを装着する説明図である。
【図２】（Ａ）はこの発明の実施の形態を示すカメラ付携帯電話盗撮防止カバーの外側表面図である。
（Ｂ）はこの発明の実施の形態を示すカメラ付携帯電話盗撮防止カバーの内側表面図である。
【図３】（Ａ）はこの発明の実施の形態を示す非解放型留め具の側断面図である。
（Ｂ）はこの発明の実施の形態を示す非解放型留め具の使用時の側断面図である。
【符号の説明】
１    カメラ付携帯電話盗撮防止カバー
２    外面カバーシート
２ａ  内側表面
２ｂ  外側表面
２ｃ  取付シート
２ｄ  取付孔
３    第一内面カバーシート
３ａ  小孔
４    第二内面カバーシート
４ａ  小孔
４ｂ  取付シート
４ｃ  取付孔
５    第一挿入部
５ａ  開口
６    第二挿入部
６ａ  開口
６ｂ  一側縁辺
７    非解放型留め具
７ａ  紐状
７ｂ  雄片
７ｃ  雌孔
７ｄ  逆止片
１１    カメラ付携帯電話
１１ａ  カメラ
１１ｂ  外側表面
１１ｃ  内側表面
１１ｄ  操作ボタン
１１ｅ  表示画面
【図１】
2004275434.tif 000003
【図２】
2004275434.tif 000004
【図３】
2004275434.tif 000005